(57)【特許請求の範囲】
【請求項１】
シートを給紙する第１ローラーと、
前記第１ローラーによって給紙された前記シートを搬送する第２ローラーと、
前記第１ローラーを保持し、前記第１ローラーから前記第２ローラーへの前記シートの搬送経路を規定する保持機構と、
前記保持機構を回動させ、前記第１ローラーが前記シートから離れる離間位置と、前記第１ローラーが前記シートに接触する接触位置との間で、前記第１ローラーを変位させる変位機構と、
前記保持機構を支持する支持構造体と、を備え、
前記支持構造体は、前記保持機構に隣接する隣接壁と、前記隣接壁から前記保持機構に向けて突出する突出部と、を含み、
前記保持機構は、前記隣接壁に対向する対向壁と、前記対向壁に取り付けられた回動可能な規制部と、を含み、
前記規制部は、略Ｌ字型のストッパ片と、前記ストッパ片を前記対向壁に連結するシャフトと、を含み、
前記ストッパ片は、前記シャフト周りに回動し、且つ、前記搬送経路を横切り、前記搬送経路への前記シートの挿入を規制する規制位置と、前記搬送経路に沿い、前記搬送経路を開く開放位置と、の間で回動する規制アームと、前記突出部と協働して、前記規制アームの位置を制御する制御アームと、を含み、
前記変位機構が前記第１ローラーを前記離間位置から前記接触位置へ移動させるならば、前記制御アームと前記突出部との接触により、前記規制アームは、前記規制位置から前記開放位置へ回動し、
前記突出部は、前記規制アームと前記制御アームとの間で突出し、前記ストッパ片の前記シャフト周りの回動に干渉することを特徴とする給紙機構。
【請求項２】
前記規制アームが前記規制位置に存するときに前記シートが前記搬送経路に挿入されるならば、前記突出部は、前記規制アームに接触し、前記規制位置から前記開放位置への前記規制アームの回動を制限することを特徴とする請求項１に記載の給紙機構。
【請求項３】
前記規制アームは、第１方向へ延出し、
前記制御アームは、前記第１方向とは異なる第２方向に延出することを特徴とする請求項２に記載の給紙機構。
【請求項４】
前記支持構造体は、前記保持機構を磁気的に吸着し、前記離間位置に前記第１ローラーを保持するマグネット部を含むことを特徴とする請求項１乃至３のいずれか１項に記載の給紙機構。
【請求項５】
前記規制部は、前記規制アームを前記規制位置に向けて付勢する付勢部材を含むことを特徴とする請求項１乃至４のいずれか１項に記載の給紙機構。
【請求項６】
前記保持機構は、前記第２ローラーを保持し、
前記変位機構は、駆動力を生じさせる駆動源と、前記駆動力を伝達する第１伝達部と、を含み、
該第１伝達部は、前記駆動力を前記第２ローラーへ伝達する第１伝達経路と、前記駆動力を前記保持機構へ伝達させる第２伝達経路と、を選択的に設定するクラッチ機構と、を含み、
該クラッチ機構が前記第１伝達経路を設定するならば、前記第２ローラーは回転し、前記クラッチ機構が前記第２伝達経路を設定するならば、前記第１ローラーは、前記離間位置と前記接触位置との間で移動することを特徴とする請求項１乃至５のいずれか１項に記載の給紙機構。
【請求項７】
前記変位機構は、前記第２ローラーへ伝達された前記駆動力を前記第１ローラーへ伝達する第２伝達部を含むことを特徴とする請求項６に記載の給紙機構。
【請求項８】
前記駆動源が前記第１伝達部を第１回転方向に回転させている間に前記第１伝達部に加わるトルクが所定の閾値以下になるならば、前記クラッチ機構は、前記第２伝達経路を設定し、
前記トルクが前記所定の閾値を超えた後に前記駆動源が前記第１伝達部を前記第１回転方向に回転させるならば、前記クラッチ機構は、前記第１伝達経路を設定することを特徴とする請求項７に記載の給紙機構。
【請求項９】
前記駆動源が前記第１回転方向とは反対の第２回転方向に回転させるならば、前記クラッチ機構は、前記第２伝達経路を設定し、前記第１ローラーを前記接触位置から前記離間位置へ移動させることを特徴とする請求項８に記載の給紙機構。
【請求項１０】
原稿を支持する透明板を有するスキャナー装置に原稿を供給する給紙装置であって、
請求項１乃至９のいずれか１項に記載の給紙機構を備え、
前記支持構造体は、前記給紙機構によって供給された前記原稿が通過する搬送路に沿って配置された搬送ローラーを含むことを特徴とする給紙装置。
【請求項１１】
前記スキャナー装置と、
請求項１０に記載の給紙装置と、
前記スキャナー装置によって読み取られた前記原稿の画像に関する画像データに従って、画像を形成する画像形成部と、を備えることを特徴とする画像形成装置。
【発明の詳細な説明】
【技術分野】
【０００１】
本発明は、シートを給紙する給紙機構、給紙機構を備える給紙装置及び給紙装置を備える画像形成装置に関する。
【背景技術】
【０００２】
プリンターや複写機といった画像形成装置は、多くの場合、シートを給紙するための給紙機構を備える（特許文献１参照）。特許文献１の給紙機構は、シートの束を支持するトレイと、トレイに支持されたシート上で上下動するピックアップローラーと、を備える。トレイは、シート束の先頭縁を揃える壁部を含む。したがって、シートの給紙が開始される開始位置は、略一定である。
【先行技術文献】
【特許文献】
【０００３】
【特許文献１】特開２００８−２８０１２１号公報
【発明の概要】
【発明が解決しようとする課題】
【０００４】
複写機に用いられる原稿供給装置の多くは、原稿の束の先頭縁を揃える壁部を有するトレイを備えていない。このため、既知の原稿供給装置の多くは、原稿供給装置内に形成された搬送経路を横切る規制部材を含む規制機構を有する。
【０００５】
使用者は、まず、原稿を搬送経路に押し込むように、原稿供給装置に原稿をセットする。このとき、規制部材は、搬送経路内への原稿束の過度の進入を規制する。その後、使用者が複写機を起動すると、複写機は、規制部材を移動させ、規制部材による搬送経路の遮断を解除する。その後、原稿は、搬送経路に沿って搬送される。
【０００６】
特許文献１に開示されるピックアップローラーの動作は、原稿供給装置にも有用である。ピックアップローラーが上昇しているならば、使用者は、原稿束を原稿供給装置に容易にセットすることができる。複写機の起動に応じて、ピックアップローラーが下降するならば、原稿は、原稿供給装置に適切に供給される。
【０００７】
多くの場合、ピックアップローラーの上下動及び規制部材の動作は、独立して制御される。このことは、原稿供給装置の構造を複雑化或いは大型化させる。
【０００８】
ピックアップローラーの上下動に規制部材の動作を連動させるためには、原稿供給装置は、非常に精度よく組み立てられる必要がある。
【０００９】
上述の課題は、原稿供給装置だけでなく、シートが搬送経路に押し込まれるシートの設置構造を有する様々な給紙装置に共通する。
【００１０】
本発明は、シートを給紙するための給紙部材とシートの位置を規制する規制部材とを簡便に連動させる給紙機構、給紙装置及び画像形成装置を提供することを目的とする。
【課題を解決するための手段】
【００１１】
本発明の一実施形態に係る給紙機構は、シートを給紙する第１ローラーと、該第１ローラーによって給紙された前記シートを搬送する第２ローラーと、前記第１ローラーを保持し、前記第１ローラーから前記第２ローラーへの前記シートの搬送経路を規定する保持機構と、該保持機構を回動させ、前記第１ローラーが前記シートから離れる離間位置と、前記第１ローラーが前記シートに接触する接触位置との間で、前記第１ローラーを変位させる変位機構と、前記保持機構を支持する支持構造体と、を備え、前記支持構造体は、前記保持機構に隣接する隣接壁と、該隣接壁から前記保持機構に向けて突出する突出部と、を含み、前記保持機構は、前記隣接壁に対向する対向壁と、該対向壁に取り付けられた回動可能な規制部と、を含み、該規制部は、前記搬送経路を横切り、前記搬送経路への前記シートの挿入を規制する規制位置と、前記搬送経路に沿い、前記搬送経路を開く開放位置と、の間で回動する規制アームと、前記突出部と協働して、前記規制アームの位置を制御する制御アームと、を含み、前記変位機構が前記第１ローラーを前記離間位置から前記接触位置へ移動させるならば、前記制御アームと前記突出部との接触により、前記規制アームは、前記規制位置から前記開放位置へ回動することを特徴とする。
【００１２】
上記構成によれば、第１ローラーを保持する保持機構は、第１ローラーから第２ローラーへの搬送経路を規定する。第１ローラーによって給紙されたシートは、搬送経路に沿って移動し、第２ローラーに到達する。第２ローラーは、第１ローラーから送られたシートを搬送する。変位機構は、保持機構を回動させるので、第１ローラーは、離間位置と接触位置との間で変位することができる。第１ローラーが離間位置に存するならば、使用者は、シートを給紙機構に容易にセットすることができる。接触位置に存する第１ローラーは、シートを第２ローラーに向けて送り出すことができる。
【００１３】
保持機構を支持する支持構造体は、保持機構に隣接する隣接壁と、隣接壁から保持機構に向けて突出する突出部と、を含む。保持機構は、隣接壁に対向する対向壁と、対向壁に取り付けられた回動可能な規制部と、を含む。規制部は、規制位置と開放位置との間で回動する規制アームを含む。規制位置に存する規制アームは、搬送経路を横切るので、搬送経路へのシートの挿入を規制することができる。したがって、使用者は、シートを搬送経路へ過度に押し込むことはない。開放位置に存する規制アームは、搬送経路に沿うので、搬送経路が開かれる。この結果、シートは、第１ローラーから第２ローラーへ適切に搬送される。
【００１４】
規制部の制御アームは、突出部と協働して、規制アームの位置を制御する。変位機構が第１ローラーを離間位置から接触位置へ移動させるならば、制御アームと突出部との接触により、規制アームは、規制位置から開放位置へ回動する。したがって、シートを給紙するための給紙部材として用いられる第１ローラーとシートの位置を規制する規制部材として用いられる規制アームとが簡便且つ適切に連動される。
【００１５】
上記構成において、前記規制アームが前記規制位置に存するときに前記シートが前記搬送経路に挿入されるならば、前記突出部は、前記規制アームに接触し、前記規制位置から前記開放位置への前記規制アームの回動を制限することが好ましい。
【００１６】
上記構成によれば、規制アームが規制位置に存するときにシートが搬送経路に挿入されるならば、突出部は、規制アームに接触する。この結果、規制位置から開放位置への規制アームの回動は制限される。したがって、使用者は、シートを搬送経路へ過度に押し込むことはない。
【００１７】
上記構成において、前記規制アームは、第１方向へ延出し、前記制御アームは、前記第１方向とは異なる第２方向に延出し、前記突出部は、前記規制アームと前記制御アームとの間で突出することが好ましい。
【００１８】
上記構成によれば、規制アームは、第１方向へ延出する。制御アームは、第１方向とは異なる第２方向に延出する。突出部は、規制アームと制御アームとの間で突出するので、変位機構が第１ローラーを離間位置から接触位置へ移動させるならば、制御アームは、突出部に接触する。この結果、規制アームは、規制位置から開放位置へ回動する。また、規制アームが規制位置に存するときにシートが搬送経路に挿入されるならば、突出部は、規制アームに接触する。この結果、規制位置から開放位置への規制アームの回動は制限される。したがって、使用者は、シートを搬送経路へ過度に押し込むことはない。かくして、シートを給紙するための給紙部材として用いられる第１ローラーとシートの位置を規制する規制部材として用いられる規制アームとが簡便且つ適切に連動される。
【００１９】
上記構成において、前記支持構造体は、前記保持機構を磁気的に吸着し、前記離間位置に前記第１ローラーを保持するマグネット部を含むことが好ましい。
【００２０】
上記構成によれば、マグネット部は、保持機構を磁気的に吸着するので、第１ローラーは、離間位置に保持される。したがって、第１ローラーの意図しない変位は生じない。
【００２１】
上記構成において、前記規制部は、前記規制アームを前記規制位置に向けて付勢する付勢部材を含むことが好ましい。
【００２２】
上記構成によれば、付勢部材は、規制アームを規制位置に向けて付勢する。したがって、規制アームは、規制位置から開放位置へ意図せず変位しない。
【００２３】
上記構成において、前記保持機構は、前記第２ローラーを保持し、前記変位機構は、駆動力を生じさせる駆動源と、前記駆動力を伝達する第１伝達部と、を含み、該第１伝達部は、前記駆動力を前記第２ローラーへ伝達する第１伝達経路と、前記駆動力を前記保持機構へ伝達させる第２伝達経路と、を選択的に設定するクラッチ機構と、を含み、該クラッチ機構が前記第１伝達経路を設定するならば、前記第２ローラーは回転し、前記クラッチ機構が前記第２伝達経路を設定するならば、前記第１ローラーは、前記離間位置と前記接触位置との間で移動することが好ましい。
【００２４】
上記構成によれば、保持機構は、第１ローラーだけでなく、第２ローラーも保持する。したがって、給紙機構は、構造的に簡素化される。
【００２５】
クラッチ機構は、駆動源から生じた駆動力の伝達経路を第１伝達経路又は第２伝達経路に選択的に設定する。クラッチ機構が駆動力の伝達経路を第１伝達経路に設定するならば、駆動力は、第１伝達部を通じて、第２ローラーへ伝達される。この結果、第２ローラーは回転し、シートは適切に搬送される。クラッチ機構が駆動力の伝達経路を第２伝達経路に設定するならば、駆動力は、第１伝達部を通じて、保持機構へ伝達される。この結果、第１ローラーは、離間位置と接触位置との間で移動する。第１ローラーが離間位置に存するならば、使用者は、シートを容易に給紙機構に対してセットすることができる。接触位置に存する第１ローラーは、シートを第２ローラーに向けて送り出すことができる。
【００２６】
上記構成において、前記変位機構は、前記第２ローラーへ伝達された前記駆動力を前記第１ローラーへ伝達する第２伝達部を含むことが好ましい。
【００２７】
上記構成によれば、第２伝達部は、第２ローラーへ伝達された駆動力を前記第１ローラーへ伝達するので、第１ローラーは、第２ローラーに同期して回転することができる。したがって、シートは、第１ローラーと第２ローラーとによって適切に搬送される。
【００２８】
上記構成において、前記駆動源が前記第１伝達部を第１回転方向に回転させている間に前記第１伝達部に加わるトルクが所定の閾値以下になるならば、前記クラッチ機構は、前記第２伝達経路を設定し、前記トルクが前記所定の閾値を超えた後に前記駆動源が前記第１伝達部を前記第１回転方向に回転させるならば、前記クラッチ機構は、前記第１伝達経路を設定することが好ましい。
【００２９】
上記構成によれば、駆動源が第１伝達部を第１回転方向に回転させている間に第１伝達部に加わるトルクが所定の閾値以下であるならば、クラッチ機構は、第２伝達経路を設定する。したがって、駆動力は、第１伝達部を通じて、保持機構へ伝達される。この結果、第１ローラーは、離間位置と接触位置との間で移動する。第１ローラーが離間位置に存するならば、使用者は、シートを容易に給紙機構に対してセットすることができる。接触位置に存する第１ローラーは、シートを第２ローラーに向けて送り出すことができる。
【００３０】
第１ローラーが接触位置に移動した後、駆動源が第１伝達部を第１回転方向に回転させるならば、トルクは所定の閾値を超える。トルクが所定の閾値を超えた後に駆動源が第１伝達部を第１回転方向に回転させるならば、クラッチ機構は、第１伝達経路を設定する。したがって、第１ローラーが接触位置に存する間、第１ローラー及び第２ローラーは適切に同期回転することができる。かくして、シートは、第１ローラーと第２ローラーとによって適切に搬送される。
【００３１】
上記構成において、前記駆動源が前記第１回転方向とは反対の第２回転方向に回転させるならば、前記クラッチ機構は、前記第２伝達経路を設定し、前記第１ローラーを前記接触位置から前記離間位置へ移動させることが好ましい。
【００３２】
上記構成によれば、駆動源が第１回転方向とは反対の第２回転方向に回転させるならば、クラッチ機構は、第２伝達経路を設定する。この結果、第１ローラーは、接触位置から離間位置に移動される。第１ローラーが離間位置に存するならば、使用者は、シートを容易に給紙機構に対してセットすることができる。
【００３３】
本発明の他の実施形態に係る給紙装置は、原稿を支持する透明板を有するスキャナー装置に原稿を供給する。給紙装置は、上述の給紙機構を備え、支持構造体は、給紙機構によって供給された原稿が通過する搬送路に沿って配置された搬送ローラーを含むことを特徴とする。
【００３４】
上記構成によれば、給紙装置は、上述の給紙機構を備えるので、原稿は搬送路へ適切に供給される。
【００３５】
本発明の他の実施形態に係る画像形成装置は、前記スキャナー装置と、上述の給紙装置と、前記スキャナー装置によって読み取られた前記原稿の画像に関する画像データに従って、画像を形成する画像形成部と、を備えることを特徴とする（請求項１１）。
【００３６】
上記構成によれば、画像形成装置は、上述の給紙装置を備えるので、原稿は、スキャナー装置へ適切に供給される。画像形成部は、スキャナー装置によって読み取られた原稿の画像に関する画像データに従って、画像を適切に形成することができる。
【発明の効果】
【００３７】
本発明に従う給紙機構、給紙装置及び画像形成装置は、シートを給紙するための給紙部材とシートの位置を規制する規制部材とを簡便に連動させることができる。
【図面の簡単な説明】
【００３８】
【図１】画像形成装置として例示される複写機の概略的な斜視図である。
【図２】図１に示される複写機の概略的な断面図である。
【図３】図１に示される複写機の原稿供給装置の概略的な斜視図である。
【図４】図３に示される原稿供給装置の概略的な斜視図である。
【図５】図３に示される原稿供給装置の概略的な部分断面図である。
【図６】図５に示される原稿供給装置の給紙機構の概略的な斜視図である。
【図７】図６に示される給紙機構の概略的な正面図である。
【図８】図４に示される原稿供給装置の概略的な斜視図である。
【図９】図８に示される原稿供給装置の回動カバーの概略的な拡大斜視図である。
【図１０】図８に示される原稿供給装置の内部フレーム上の給紙機構の概略的な斜視図である。
【図１１】図１０に示される給紙機構の概略的な正面図である。
【図１２】図１１に示される給紙機構のストッパー片の周囲における回動カバーの概略的な拡大断面図である。
【図１３】図５に示される原稿供給装置の給紙ローラー又は保持フレームへ供給される動力の伝達経路を表す概略的なブロック図である。
【図１４】図１１に示される給紙機構の周りにおける回動カバーの概略的な拡大斜視図である。
【図１５】図１１に示される給紙機構の周りにおける回動カバーの概略的な拡大断面図である。
【図１６Ａ】図１０に示される給紙機構の動作を表す概略図である。
【図１６Ｂ】図１０に示される給紙機構の動作を表す概略図である。
【図１６Ｃ】図１０に示される給紙機構の動作を表す概略図である。
【図１６Ｄ】図１０に示される給紙機構の動作を表す概略図である。
【図１６Ｅ】図１０に示される給紙機構の動作を表す概略図である。
【発明を実施するための形態】
【００３９】
以下、添付の図面を用いて、給紙機構、給紙装置及び画像形成装置が説明される。尚、以下の説明で用いられる「上」、「下」、「左」や「右」といった方向を表す用語は、単に、説明の明瞭化を目的とするものである。したがって、これらの用語は、給紙機構、給紙装置及び画像形成装置の原理を何ら限定するものではない。
【００４０】
＜画像形成装置＞
図１は、画像形成装置として例示される複写機１００の概略的な斜視図である。図１を用いて、複写機１００が説明される。
【００４１】
複写機１００は、原稿を供給する原稿供給装置５００を備える。原稿供給装置５００は、トレイ５０１を備える。使用者は、原稿をトレイ５０１に載置することができる。原稿供給装置５００は、原稿を読取位置に搬送する。複写機１００は、読取位置に存する原稿の画像を読み取り、画像データを生成する。その後、複写機１００は、画像データに基づき、複写画像を形成する。
【００４２】
複写機１００は、原稿供給装置５００を支持する主筐体１１０を更に備える。主筐体１１０は、原稿供給装置５００が取り付けられた上部筐体１１１と、上部筐体１１１の下方に配置された下部筐体１１２と、上部筐体１１１と下部筐体１１２との間に配置された中間筐体１１３と、を含む。上部筐体１１１、下部筐体１１２及び中間筐体１１３は、主筐体１１０内に空間１１４を形成する。複写画像が形成された複写シートは、空間１１４内に蓄積される。
【００４３】
複写機１００は、コンソール１２０を更に備える。使用者は、コンソール１２０を通じて、複写機１００に所望の動作を実行させることができる。
【００４４】
原稿供給装置５００は、上部筐体１１１上で回動される。使用者は、原稿供給装置５００を上方に回動し、上部筐体１１１の上面に原稿を設置することができる。使用者がその後、原稿供給装置５００を下方に回動するならば、原稿は、上部筐体１１１と原稿供給装置５００に挟まれる。この結果、原稿は、読取位置で安定的に保持されることとなる。使用者は、その後、コンソール１２０を操作し、複写機１００を起動することができる。その後、複写機１００は、上部筐体１１１と原稿供給装置５００との間で安定的に保持された原稿の画像を読み取る。
【００４５】
使用者は、原稿供給装置５００を上下に回動させる代わりに、トレイ５０１に原稿を設置してもよい。使用者がコンソール１２０を通じて、複写機１００を起動させるならば、原稿供給装置５００は、原稿を上部筐体１１１の上面へ搬送する。この結果、原稿は、上部筐体１１１と原稿供給装置５００とに挟まれる。その後、複写機１００は、上部筐体１１１と原稿供給装置５００との間で安定的に保持された原稿の画像を読み取る。
【００４６】
上部筐体１１１は、原稿の画像を読み取るための様々な光学素子を収容する。本実施形態において、上部筐体１１１は、原稿の画像を読み取るスキャナー装置の一部として機能する。原稿供給装置５００は、スキャナー装置として用いられる上部筐体１１１に原稿を供給するので、本実施形態において、原稿供給装置５００は、給紙装置として例示される。
【００４７】
複写機１００は、下部筐体１１２に挿入されたカセット１３０を備える。使用者は、カセット１３０を下部筐体１１２から引き出し、シートをカセット１３０内に収容することができる。その後、使用者は、カセット１３０を下部筐体１１２に押し込むことができる。カセット１３０内のシートは、主筐体１１０内で上方に搬送され、最終的に、中間筐体１１３から空間１１４へ排出される。
【００４８】
下部筐体１１２は、複写画像を形成する様々な装置を収容する。複写画像は、上部筐体１１１が収容する光学素子によって読み取られた原稿の画像データに従って、下部筐体１１２内で形成される。
【００４９】
図２は、複写機１００の概略的な断面図である。図１及び図２を参照して、複写機１００が更に説明される。尚、原稿供給装置５００は、図２に示される複写機１００から除去されている。
【００５０】
（シートの搬送）
複写機１００は、カセット１３０からシートを引き出すピックアップローラー１３１と、ピックアップローラー１３１によって引き出されたシートを下流へ搬送する給紙ローラー１３２と、給紙ローラー１３２に隣接するリタードローラー１３３と、を更に備える。リタードローラー１３３の回転は、トルクに応じて制御される。リタードローラー１３３に高いトルクが負荷されるならば、リタードローラー１３３は停止する。リタードローラー１３３に加わるトルクが低いならば、リタードローラー１３３は、シートの搬送にしたがって回転する。ピックアップローラー１３１が複数枚のシートをカセット１３０から引き出すならば、リタードローラー１３３に加わるトルクは高くなり、リタードローラー１３３は停止する。この結果、給紙ローラー１３２に接触したシートのみが下流へ搬送される。ピックアップローラー１３１が１枚のシートをカセット１３０から引き出すならば、リタードローラー１３３に加わるトルクは低い。したがって、リタードローラー１３３は、シートの移動に従って回転する。かくして、シートは、１枚ずつ搬送されることとなる。
【００５１】
複写機１００は、シートにトナー画像を形成する画像形成部２００、給紙ローラー１３２と画像形成部２００との間に配置された搬送ローラー対１３４及びレジストローラー対１３５を更に備える。搬送ローラー対１３４は、給紙ローラー１３２によって送られたシートをレジストローラー対１３５に中継する。レジストローラー対１３５は、シートの搬送タイミングを調整し、シートを画像形成部２００へ適時に送る。この結果、トナー画像は、シートの適所に形成される。
【００５２】
複写機１００は、シート上の画像を定着させる定着装置３００を更に備える。定着装置３００は、シートを加熱する加熱ローラー３１０と、シートを加熱ローラー３１０に押しつける加圧ローラー３２０と、を備える。画像形成部２００は、シートを加熱ローラー３１０と加圧ローラー３２０との間に送る。加圧ローラー３２０は、シートを加熱ローラー３１０に押しつける。シート上のトナーは、加熱ローラー３１０によって溶融される。この結果、トナー画像は、シートに定着する。
【００５３】
複写機１００は、中間筐体１１３内で保持された搬送ローラー対１３６及び排出ローラー対１３７を更に備える。定着装置３００は、搬送ローラー対１３６へシートを送る。その後、搬送ローラー対１３６は、排出ローラー対１３７へシートを送る。シートは、排出ローラー対１３７によって中間筐体１１３から空間１１４へ排出される。
【００５４】
（読取機構）
複写機１００は、原稿の画像を読み取る読取機構４００を備える。読取機構４００は、上部筐体１１１内に収容される。
【００５５】
上部筐体１１１は、原稿を支持する透明なコンタクトガラス１１５を備える。コンタクトガラス１１５は、上部筐体１１１の上面を形成する。図１を参照して説明された如く、使用者は、原稿供給装置５００を上方に回動させ、原稿をコンタクトガラス１１５上に設置することができる。その後、使用者が、原稿供給装置５００を下方に回動させると、原稿は、コンタクトガラス１１５上で安定的に保持される。使用者は、原稿供給装置５００のトレイ５０１に原稿を設置してもよい。使用者が、その後、コンソール１２０を操作するならば、原稿供給装置５００は、原稿を読取位置へ搬送する。本実施形態において、コンタクトガラス１１５は、透明板として例示される。
【００５６】
読取機構４００は、移動ユニット４１０を備える。使用者が、原稿供給装置５００を上方に回動させ、コンタクトガラス１１５上に原稿を直接的に設置するならば、移動ユニット４１０は、上部筐体１１１内で移動する。図２において、移動ユニット４１０の移動方向は、副走査方向として示されている。使用者がトレイ５０１上に原稿を設置するならば、移動ユニット４１０は、所定の読取位置（後述される）に留まる。この間、読取機構４００は、原稿の副走査方向の移動を利用して、画像を読み取る。
【００５７】
移動ユニット４１０は、副走査方向に直交する主走査方向に延びる光帯を出射する光源４１１を備える。コンタクトガラス１１５上の原稿は、光源４１１から出射された光帯を反射する。移動ユニット４１０は、原稿からの反射光を受ける第１反射鏡４１２を更に備える。
【００５８】
読取機構４００は、原稿からの反射光に応じて画像データを生成するデータ生成部４２０と、移動ユニット４１０から送られた反射光をデータ生成部４２０へ反射する反射ユニット４３０と、を更に備える。反射ユニット４３０は、第２反射鏡４３２及び第３反射鏡４３３を備える。第１反射鏡４１２は、原稿からの反射光を第２反射鏡４３２に向けて反射する。第２反射鏡４３２は、第１反射鏡４１２から送られた反射光を第３反射鏡４３３に向けて反射する。第３反射鏡４３３は、第２反射鏡４３２から送られた反射光をデータ生成部４２０に向けて反射する。
【００５９】
データ生成部４２０は、第３反射鏡４３３から送られた反射光を受け、画像データを生成する。データ生成部４２０は、例えば、ＣＣＤセンサーやＣＭＯＳセンサーであってもよい。
【００６０】
反射ユニット４３０は、移動ユニット４１０に連動して、副走査方向に移動する。この結果、第１反射鏡４１２からデータ生成部４２０までの適切な光路長が維持される。したがって、データ生成部４２０は、原稿の画像に関する画像データを適切に生成することができる。本実施形態において、上部筐体１１１及び読取機構４００は、スキャナー装置として例示される。
【００６１】
（画像形成部）
下部筐体１１２内に配置された画像形成部２００は、データ生成部４２０によって生成された画像データに従って、トナー画像を形成する。画像形成部２００は、４つの画像形成ユニット２１０と、画像形成ユニット２１０それぞれにレーザー光線を出射する露光装置２２０と、を備える。４つの画像形成ユニット２１０が形成するトナー画像は、色相において互いに相違する。
【００６２】
画像形成部２００は、４つのトナーコンテナ２３０を更に備える。４つのトナーコンテナ２３０は、４つの画像形成ユニット２１０にそれぞれ対応する。４つのトナーコンテナ２３０は、互いに異なる色相のトナーを収容する。トナーコンテナ２３０は、対応する画像形成ユニット２１０にトナーを随時供給する。
【００６３】
画像形成ユニット２１０は、感光体ドラム２１１と、感光体ドラム２１１の周面を略一様に帯電させる帯電器２１２と、を備える。感光体ドラム２１１が回転すると、感光体ドラム２１１の帯電された周面は、露光位置に移動する。露光位置において、感光体ドラム２１１の周面は、露光装置２２０からのレーザー光線を受ける。
【００６４】
露光装置２２０は、データ生成部４２０によって生成された画像データに従って、レーザー光線の照射位置を変更する。この結果、感光体ドラム２１１の周面には、画像データに合致する静電潜像が形成される。
【００６５】
画像形成ユニット２１０は、静電潜像を現像する現像装置２１３を更に備える。静電潜像の形成の後、感光体ドラム２１１の周面は、現像装置２１３からのトナーの供給位置に移動する。現像装置２１３は、対応するトナーコンテナ２３０からトナーを受け取る。現像装置２１３は、感光体ドラム２１１にトナーを供給する。この結果、感光体ドラム２１１の周面にトナーが静電気的に付着し、静電潜像が現像される。
【００６６】
画像形成部２００は、シートにトナー画像を転写する転写ユニット２４０を備える。転写ユニット２４０は、４つの画像形成ユニット２１０上で走行する転写ベルト２４１と、転写ベルト２４１を駆動する駆動ローラー２４２と、駆動ローラー２４２と協働して、転写ベルト２４１の走行経路を規定する従動ローラー２４３と、を備える。
【００６７】
転写ユニット２４０は、４つの第１転写ローラー２４４を更に備える。４つの第１転写ローラー２４４は、４つの感光体ドラム２１１上にそれぞれ配置される。転写ベルト２４１は、第１転写ローラー２４４と感光体ドラム２１１との間を走行する。感光体ドラム２１１上のトナー画像は、第１転写ローラー２４４によって静電気的に吸引される。この結果、トナー画像は、転写ベルト２４１に乗り移る。４つの感光体ドラム２１１から転写ベルト２４１に転写されたトナー画像は、互いに重ね合わせられる。この結果、カラー画像が転写ベルト２４１上に形成されることとなる。
【００６８】
転写ユニット２４０は、駆動ローラー２４２に隣接する第２転写ローラー２４５を更に備える。カラー画像を担持した転写ベルト２４１は、駆動ローラー２４２と第２転写ローラー２４５との間を通過する。レジストローラー対１３５は、駆動ローラー２４２と第２転写ローラー２４５との間のカラー画像の通過に合わせて、シートを駆動ローラー２４２と第２転写ローラー２４５との間に送り込む。この結果、シートの適所にカラー画像が転写される。
【００６９】
＜原稿供給装置＞
図３は、原稿供給装置５００の概略的な斜視図である。図２及び図３を用いて、原稿供給装置５００が説明される。
【００７０】
原稿供給装置５００は、トレイ５０１を支持する筐体５１０を備える。筐体５１０は、トレイ５０１上の原稿を搬送するための様々な部品を収容する収容部５２０と、トレイ５０１の下方で延びる延出部５３０と、を含む。収容部５２０は、トレイ５０１と協働して給紙口５２１を形成する回動カバー５２２と、回動カバー５２２を支持する一対の支持部５２３と、を含む。回動カバー５２２は、一対の支持部５２３の間で、上下に回動される。
【００７１】
トレイ５０１に載置された原稿は、給紙口５２１を通じて、収容部５２０内に引き込まれる。その後、原稿は、収容部５２０内で搬送され、最終的に、延出部５３０上に送り出される。
【００７２】
図４は、原稿供給装置５００の概略的な斜視図である。図４を用いて、原稿供給装置５００が更に説明される。尚、図４に示される原稿供給装置５００の回動カバー５２２は、上方に回動されている。
【００７３】
収容部５２０は、回動カバー５２２に覆われる内部フレーム５２４を備える。原稿の搬送路は、内部フレーム５２４と回動カバー５２２との間に形成される。回動カバー５２２は、内部フレーム５２４に対向する内面５２５を含む。
【００７４】
原稿供給装置５００は、内面５２５に取り付けられた給紙機構６００を備える。給紙機構６００は、トレイ５０１上の原稿を、内面５２５と内部フレーム５２４との間に形成された搬送路に引き込む。
【００７５】
（原稿の搬送）
図５は、原稿供給装置５００の概略的な部分断面図である。図１、図２及び図５を用いて、原稿供給装置５００が更に説明される。
【００７６】
回動カバー５２２は、トレイ５０１と協働して、給紙口５２１を形成する先端縁５２６を含む。給紙機構６００は、先端縁５２６の近くに配置される。回動カバー５２２は、先端縁５２６とは反対側の基端部５２７を含む。回動カバー５２２は、基端部５２７を軸に上下に回動する。
【００７７】
回動カバー５２２と内部フレーム５２４との間には、給紙口５２１から基端部５２７に向かって延びる主搬送路５３１が形成される。主搬送路５３１は、原稿の一部が差し込まれる導入部５３２と、導入部５３２から延びる案内部５３３と、を含む。案内部５３３は、回動カバー５２２の基端部５２７の近くで湾曲する。
【００７８】
給紙機構６００は、導入部５３２に差し込まれた原稿を、案内部５３３へ引き込むように回転するピックアップローラー６１１と、ピックアップローラー６１１によって給紙された原稿を案内部５３３へ搬送する給紙ローラー６１２と、を備える。ピックアップローラー６１１は、上下に変位する。ピックアップローラー６１１が上限位置に存するならば、ピックアップローラー６１１は、トレイ５０１上の原稿から離間している。ピックアップローラー６１１が下限位置に存するならば、ピックアップローラー６１１は原稿に接触している。原稿は、下限位置に存するピックアップローラー６１１の回転によって、案内部５３３へ送り込まれる。本実施形態において、ピックアップローラー６１１は、第１ローラーとして例示される。給紙ローラー６１２は、第２ローラーとして例示される。ピックアップローラー６１１の上限位置は、離間位置として例示される。ピックアップローラー６１１の下限位置は、接触位置として例示される。
【００７９】
図５に示されるピックアップローラー６１１は、上限位置に存する。ピックアップローラー６１１の下限位置は、導入部５３２に差し込まれた原稿の束の厚さに依存する。
【００８０】
回動カバー５２２は、上側ローラー５２８を備える。内部フレーム５２４は、下側ローラー５２９を備える。給紙ローラー６１２によって案内部５３３へ送り込まれた原稿は、上側ローラー５２８と下側ローラー５２９とに挟まれる。上側ローラー５２８及び下側ローラー５２９は、回転し、原稿を下流へ搬送する。
【００８１】
内部フレーム５２４は、第１搬送ローラー対５４１と、第２搬送ローラー対５４２と、回動カバー５２２の先端縁５２６の下方に配置された排出ローラー対５４３と、を備える。第１搬送ローラー対５４１、第２搬送ローラー対５４２及び排出ローラー対５４３は、湾曲した案内部５３３に沿って配置される。第１搬送ローラー対５４１は、上側ローラー５２８及び下側ローラー５２９によって送られた原稿を受け取る。その後、第１搬送ローラー対５４１は、第２搬送ローラー対５４２へ送り出す。第２搬送ローラー対５４２は、原稿を排出ローラー対５４３へ送り出す。排出ローラー対５４３は、トレイ５０１の下方の延出部５３０上に原稿を排出する。本実施形態において、第１搬送ローラー対５４１、第２搬送ローラー対５４２及び排出ローラー対５４３として用いられるローラーは、搬送ローラーとして例示される。案内部５３３は、搬送路として例示される。
【００８２】
内部フレーム５２４は、第１搬送ローラー対５４１と第２搬送ローラー対５４２との間に配置されたコンタクトガラス５４４を更に備える。図２を参照して説明された移動ユニット４１０は、原稿供給装置５００が原稿を搬送している間、コンタクトガラス５４４の下方に位置する。移動ユニット４１０から出射された光帯は、コンタクトガラス５４４を通じて、原稿に到達する。原稿は、光帯を反射する。移動ユニット４１０は、コンタクトガラス５４４を通過した反射光を受け取る。この結果、読取機構４００は、原稿の画像を読み取ることができる。
【００８３】
内部フレーム５２４には、給紙ローラー６１２と下側ローラー５２９との間で、案内部５３３から分岐した第１補助搬送路５４５が形成される。第１補助搬送路５４５は、導入部５３２の下方に形成される。
【００８４】
内部フレーム５２４には、第１補助搬送路５４５から分岐した第２補助搬送路５４６が形成される。第２補助搬送路５４６は、第２搬送ローラー対５４２と排出ローラー対５４３との間で、案内部５３３に接続される。
【００８５】
内部フレーム５２４は、スイッチバックローラー対５４７を更に備える。スイッチバックローラー対５４７は、第１補助搬送路５４５に配置される。
【００８６】
使用者が、図１を参照して説明されたコンソール１２０を操作し、複写機１００に両面印刷を指示するならば、第１補助搬送路５４５、第２補助搬送路５４６及びスイッチバックローラー対５４７が利用される。原稿は、コンタクトガラス５４４を通過した後、第１補助搬送路５４５に送り込まれる。
【００８７】
スイッチバックローラー対５４７は、第１補助搬送路５４５に送り込まれた原稿を受け取り、トレイ５０１の下方に原稿を送り出す。その後、スイッチバックローラー対５４７は逆転し、原稿を収容部５２０内に再度引き込む。収容部５２０内に引き込まれた原稿は、第２補助搬送路５４６を通じて、案内部５３３へ送り出される。
【００８８】
第２補助搬送路５４６を通じて、案内部５３３へ送り出された原稿は、第１搬送ローラー対５４１によって受け取られる。その後、原稿は、コンタクトガラス５４４上を通過する。この結果、原稿の両面に描かれた画像が読取機構４００によって読み取られる。原稿は、コンタクトガラス５４４を通過した後、延出部５３０上に排出される。
【００８９】
（給紙機構）
図６は、給紙機構６００の概略的な斜視図である。図７は、給紙機構６００の概略的な正面図である。図５乃至図７を用いて、給紙機構６００が説明される。
【００９０】
給紙機構６００は、ピックアップローラー６１１及び給紙ローラー６１２を保持する保持フレーム６２０を備える。図５に示される如く、保持フレーム６２０は、ピックアップローラー６１１から給紙ローラー６１２への原稿の搬送経路として用いられる導入部５３２を規定する。本実施形態において、保持フレーム６２０は、保持機構として例示される。
【００９１】
給紙機構６００は、導入部５３２への原稿の挿入を規制する一対のストッパー機構６３０を備える。保持フレーム６２０は、ストッパー機構６３０がそれぞれ取り付けられる一対の取付壁６２１と、給紙機構６００の上面を形成する上壁６２２と、を含む。
【００９２】
ストッパー機構６３０は、略Ｌ字型のストッパー片６３１と、ストッパー片６３１を取付壁６２１に連結するシャフト６３２と、シャフト６３２に巻回された捻りコイルバネ６３３と、を備える。ストッパー片６３１は、シャフト６３２周りに回動する。ストッパー片６３１の回動は、後述される。
【００９３】
図８は、原稿供給装置５００の概略的な斜視図である。図４及び図８を用いて、原稿供給装置５００が説明される。尚、図８に示される原稿供給装置５００から給紙機構６００は除去されている。
【００９４】
回動カバー５２２の内面５２５には、凹部５４８が形成される。給紙機構６００は、凹部５４８に収容される。回動カバー５２２は、凹部５４８に収容された給紙機構６００の保持フレーム６２０を支持する。本実施形態において、回動カバー５２２は、支持構造体として例示される。
【００９５】
図９は、凹部５４８周囲における回動カバー５２２の概略的な拡大斜視図である。図６、図７及び図９を用いて、回動カバー５２２への給紙機構６００の取付が説明される。
【００９６】
回動カバー５２２は、一対の取付壁６２１のうち一方に隣接する第１隣接壁５５１と、他方に隣接する第２隣接壁５５２と、第１隣接壁５５１と第２隣接壁５５２との間で延びる天壁５５３と、を含む。天壁５５３は、上壁６２２に隣接する。第１隣接壁５５１、第２隣接壁５５２及び天壁５５３は、凹部５４８を規定する。本実施形態において、第１隣接壁５５１及び第２隣接壁５５２は、隣接壁としてそれぞれ例示される。第１隣接壁５５１及び第２隣接壁５５２に対向する一対の取付壁６２１それぞれは、対向壁として例示される。取付壁６２１に取り付けられたストッパー機構６３０は、規制部として例示される。
【００９７】
図６に示される如く、保持フレーム６２０は、各取付壁６２１から突出する一対のシャフト筒６４０を備える。図７に示される如く、シャフト筒６４０は、給紙ローラー６１２に対して略同軸である。
【００９８】
図９に示される如く、回動カバー５２２は、第１隣接壁５５１から突出する接続筒５５４を備える。接続筒５５４は、一方のシャフト筒６４０に連結される。第２隣接壁５５２には、他方のシャフト筒６４０が挿入される軸受凹部５５５が形成される。回動カバー５２２は、接続筒５５４及び軸受凹部５５５を用いて、保持フレーム６２０を支持する。保持フレーム６２０は、シャフト筒６４０周りに回動する。この結果、ピックアップローラー６１１は、上下動する。
【００９９】
回動カバー５２２は、第１隣接壁５５１及び第２隣接壁５５２からそれぞれ突出する一対の突出棒５６０を備える。突出棒５６０は、取付壁６２１に向けて突出する。本実施形態において、突出棒５６０は、突出部として例示される。
【０１００】
図１０は、内部フレーム５２４上の給紙機構６００の概略的な斜視図である。図１０を用いて、ストッパー片６３１が説明される。
【０１０１】
ストッパー片６３１は、シャフト６３２から下方に延びる第１アーム６３４と、シャフト６３２から水平に延びる第２アーム６３５と、を含む。突出棒５６０は、内部フレーム５２４に向かって延びる第１アーム６３４と、シャフト筒６４０に向かって延びる第２アーム６３５との間に入り込む。したがって、ストッパー片６３１の回動は、突出棒５６０によって干渉される。本実施形態において、第１アーム６３４は、規制アームとして例示される。第２アーム６３５は、制御アームとして例示される。第１アーム６３４の延出方向は、第１方向として例示される。第２アーム６３５の延出方向は、第２方向として例示される。
【０１０２】
図１１は、図１０に対応する給紙機構６００の概略的な正面図である。図５、図１０及び図１１を用いて、給紙機構６００が説明される。
【０１０３】
シャフト６３２に巻回された捻りコイルバネ６３３は、第１アーム６３４が給紙口５２１へ向かうように、ストッパー片６３１を付勢する。第１アーム６３４が下方に向き、導入部５３２を横切るとき、第２アーム６３５は、突出棒５６０に接触する。したがって、捻りコイルバネ６３３の付勢方向へのストッパー片６３１の回動は、突出棒５６０によって制限される。
【０１０４】
第１アーム６３４が、導入部５３２を横切り、導入部５３２への原稿の進入を規制する規制位置に存する間、捻りコイルバネ６３３は、第１アーム６３４を、給紙口５２１に向けて付勢する。したがって、第１アーム６３４は、束ねられた原稿の先頭縁を揃えることができる。本実施形態において、捻りコイルバネ６３３は、付勢部材として例示される。
【０１０５】
図１２は、ストッパー片６３１の周囲における回動カバー５２２の概略的な拡大断面図である。図１１及び図１２を用いて、ストッパー片６３１の回動が説明される。
【０１０６】
図１１及び図１２に示されるピックアップローラー６１１は、上限位置に存する。したがって、導入部５３２は、大きく開かれている。使用者は、原稿を、給紙口５２１を通じて導入部５３２に容易に挿入することができる。
【０１０７】
図１１に示される如く、第２アーム６３５が突出棒５６０に接触している間、第１アーム６３４は、突出棒５６０から離れている。したがって、使用者は、第１アーム６３４が突出棒５６０に接触するまで、原稿を導入部５３２に押し込むことができる。
【０１０８】
原稿が導入部５３２に押し込まれると、第１アーム６３４は、給紙ローラー６１２に向けて回動する。図１２に示される如く、第１アーム６３４が突出棒５６０に接触すると、給紙ローラー６１２に向かう第１アーム６３４の回動は停止される。この結果、原稿は、導入部５３２内において適切に位置決めされる。
【０１０９】
（駆動機構）
図１３は、給紙ローラー６１２又は保持フレーム６２０へ供給される動力の伝達経路を表す概略的なブロック図である。図５及び図１３を用いて、保持フレーム６２０又は給紙ローラー６１２への動力の伝達が説明される。
【０１１０】
給紙機構６００は、保持フレーム６２０及び給紙ローラー６１２を駆動する駆動機構６５０を備える。駆動機構６５０は、保持フレーム６２０及び給紙ローラー６１２を駆動するための駆動力を生じさせるモーター６５１と、モーター６５１から駆動力を受ける伝達機構６５２と、を含む。伝達機構６５２は、回転シャフト、ギア、ベルトや減速器といった様々な既知の機械要素を用いて形成されてもよい。本実施形態において、モーター６５１は、駆動源として例示される。
【０１１１】
伝達機構６５２は、保持フレーム６２０又は給紙ローラー６１２に駆動力を選択的に伝達するクラッチ機構６５３を含む。以下の説明において、クラッチ機構６５３から給紙ローラー６１２へ向かう駆動力の伝達経路は、「第１伝達経路」と称される。クラッチ機構６５３から保持フレーム６２０へ向かう駆動力の伝達経路は、「第２伝達経路」と称される。本実施形態において、伝達機構６５２は、第１伝達部として例示される。
【０１１２】
クラッチ機構６５３は、バネクラッチやトルクリミッターであってもよい。本実施形態において、クラッチ機構６５３は、伝達機構６５２に加わるトルクに応じて駆動力の伝達経路を第１伝達経路と第２伝達経路との間で切り替える。
【０１１３】
以下の説明において、給紙ローラー６１２が原稿を案内部５３３へ供給している間のモーター６５１の回転方向は、「第１回転方向」と称される。第１回転方向とは反対のモーター６５１の回転方向は、「第２回転方向」と称される。モーター６５１が第１回転方向に回転している間、伝達機構６５２に加わるトルクが所定の閾値を超えるならば、クラッチ機構６５３は、駆動力の伝達経路を第１伝達経路に設定する。モーター６５１が第１回転方向に回転している間、伝達機構６５２に加わるトルクが所定の閾値以下になるならば、クラッチ機構６５３は、駆動力の伝達経路を第２伝達経路に設定する。このとき、保持フレーム６２０は、ピックアップローラー６１１が下限位置に移動するように回動する。
【０１１４】
ピックアップローラー６１１が下限位置に移動している間、ストッパー片６３１は、回動し、ストッパー片６３１と原稿との間の干渉は解消される。保持フレーム６２０とストッパー片６３１の連動は、後述される。
【０１１５】
ピックアップローラー６１１が下限位置において原稿に接触した後、モーター６５１が第１回転方向に回転し続けるならば、伝達機構６５２に加わるトルクは増大する。伝達機構６５２に加わるトルクは、その後、閾値を超え、駆動力の伝達経路は、第１伝達経路に切り替えられる。この結果、給紙ローラー６１２は、回転し始める。ピックアップローラー６１１は、給紙ローラー６１２に同期して回転する。したがって、給紙機構６００は、導入部５３２から案内部５３３へ原稿を送り込むことができる。
【０１１６】
モーター６５１が第２回転方向に回転するならば、伝達機構６５２に加わるトルクは、閾値以下となる。この結果、クラッチ機構６５３は、駆動力の伝達経路を、第１伝達経路から第２伝達経路へ切り替える。モーター６５１が第２回転方向に回転を続けると、保持フレーム６２０は上方に回動し、ピックアップローラー６１１は上限位置に到達する。その後、モーター６５１は停止される。モーター６５１の停止は、保持フレーム６２０の位置を検出するセンサーからの信号に基づいてもよい。本実施形態において、駆動機構６５０は、保持フレーム６２０を上下に回動させ、ピックアップローラー６１１を、上限位置と下限位置との間で変位させる。したがって、駆動機構６５０は、変位機構として例示される。
【０１１７】
図１４は、凹部５４８内に収容された給紙機構６００の周りにおける回動カバー５２２の概略的な拡大斜視図である。図１３及び図１４を用いて、給紙ローラー６１２からピックアップローラー６１１への動力の伝達が説明される。
【０１１８】
駆動機構６５０は、給紙ローラー６１２とピックアップローラー６１１とに巻回される無端ベルト６５４を更に備える。図１３を参照して説明された如く、クラッチ機構６５３が、駆動力の伝達経路を第１伝達経路に設定している間、駆動力は、給紙ローラー６１２に伝達される。給紙ローラー６１２へ伝達された駆動力は、無端ベルト６５４によって、ピックアップローラー６１１にも伝達される。この結果、ピックアップローラー６１１は、給紙ローラー６１２に同期して回転する。本実施形態において、無端ベルト６５４は、第２伝達部として例示される。
【０１１９】
図１５は、給紙機構６００周りにおける回動カバー５２２の概略的な拡大断面図である。図６、図１３及び図１５を用いて、ピックアップローラー６１１を上限位置で保持するための構造が説明される。
【０１２０】
図１５に示されるピックアップローラー６１１は、上限位置に配置されている。図６に示される如く、ピックアップローラー６１１を保持する保持フレーム６２０の上壁６２２には、凹部６２３が形成される。
【０１２１】
図１５に示される如く、給紙機構６００は、下マグネットプレート６６１を備える。下マグネットプレート６６１は、凹部６２３に配置される。回動カバー５２２は、下マグネットプレート６６１上に配置される上マグネットプレート５６２を備える。上マグネットプレート５６２は、天壁５５３に取り付けられる。
【０１２２】
上マグネットプレート５６２は、下マグネットプレート６６１を磁気的に吸着する。したがって、ピックアップローラー６１１が上限位置に到達し、モーター６５１が停止した後も、ピックアップローラー６１１は、上限位置に保持されることとなる。モーター６５１が第１回転方向に回転し、クラッチ機構６５３が駆動力の伝達経路を第１伝達経路に設定すると、モーター６５１によって、下マグネットプレート６６１は上マグネットプレート５６２から分離される。その後、ピックアップローラー６１１は、下限位置に向け下降し、原稿に接触する。本実施形態において、上マグネットプレート５６２は、マグネット部として例示される。
【０１２３】
（給紙機構の動作）
図１６Ａ乃至図１６Ｅは、給紙機構６００の動作を表す概略図である。図１、図１０、図１３、図１６Ａ乃至図１６Ｅを用いて、給紙機構６００の動作が説明される。
【０１２４】
図１６Ａは、初期状態の給紙機構６００を表す。初期状態において、導入部５３２には、原稿は挿入されていない。また、ピックアップローラー６１１は、上限位置に存する。第１アーム６３４は、導入部５３２を横切って延びる規制位置にある。
【０１２５】
図１６Ｂは、使用者が給紙口５２１を通じて導入部５３２へ原稿を挿入したときの給紙機構６００を表す。図１６Ａと同様に、ピックアップローラー６１１は、上限位置に存するので、導入部５３２は、大きく開かれている。したがって、使用者は、給紙口５２１を通じて、原稿を導入部５３２へ容易に挿入することができる。
【０１２６】
導入部５３２へ挿入された原稿の先頭縁は、第１アーム６３４に接触する。この結果、ストッパー片６３１は、シャフト６３２周りに回転する。ストッパー片６３１の回転により、第１アーム６３４は、突出棒５６０に向けて移動する。第１アーム６３４が、突出棒５６０に接触すると、ストッパー片６３１の回転は停止する。この結果、第１アーム６３４は、原稿の過度の挿入を防止することができる。
【０１２７】
図１６Ｃは、保持フレーム６２０の下方への回動を表す。使用者は、コンソール１２０を操作し、モーター６５１を起動することができる。このとき、クラッチ機構６５３は、駆動力の伝達経路を第２伝達経路に設定している。したがって、モーター６５１の駆動力は、保持フレーム６２０に伝達される。
【０１２８】
保持フレーム６２０は、給紙ローラー６１２の回転軸周りに回転し、ピックアップローラー６１１は、下方へ変位する。保持フレーム６２０の下方への回動に伴い、保持フレーム６２０に取り付けられたストッパー片６３１も下方へ変位する。一方、回動カバー５２２の一部である突出棒５６０は変位しない。したがって、突出棒５６０の上方に存する第２アーム６３５は、突出棒５６０に接触する。
【０１２９】
図１６Ｄは、保持フレーム６２０の更なる下方への回動を表す。モーター６５１が回転し続けると、保持フレーム６２０は更に下方へ回動する。この結果、ピックアップローラー６１１及びストッパー片６３１も、更に下降する。第２アーム６３５は、突出棒５６０と干渉しているので、ストッパー片６３１は、シャフト６３２周りに回転する。
【０１３０】
図１６Ｅは、保持フレーム６２０の更なる下方への回動を表す。モーター６５１が回転し続けると、保持フレーム６２０は更に下方へ回動する。この結果、ピックアップローラー６１１は、下限位置に到達し、原稿に接触する。
【０１３１】
保持フレーム６２０の回動の間、第２アーム６３５と突出棒５６０との干渉により、ストッパー片６３１は、シャフト６３２周りに回転し続ける。この結果、第１アーム６３４は、導入部５３２によって規定される原稿の搬送経路に沿う開放位置に到達する。したがって、第２アーム６３５は、突出棒５６０と協働して、第１アーム６３４の位置を適切に制御することができる。
【０１３２】
ピックアップローラー６１１が下限位置に到達した後、モーター６５１が回転を続けると、伝達機構６５２に加わるトルクが増大する。この結果、クラッチ機構６５３は、駆動力の伝達経路を第１伝達経路に切り替える。この結果、給紙ローラー６１２及びピックアップローラー６１１が回転し始める。
【０１３３】
ピックアップローラー６１１が回転すると、原稿は、導入部５３２へ引き込まれる。上述の如く、第１アーム６３４は、開放位置にあり、導入部５３２によって規定される原稿の搬送経路を開いているので、原稿は、給紙ローラー６１２に向けて適切に搬送される。
【０１３４】
トレイ５０１上の全ての原稿が処理されると、モーター６５１は、逆転し、保持フレーム６２０は上昇する。シャフト６３２に巻回された捻りコイルバネ６３３によってストッパー片６３１は付勢されているので、第１アーム６３４は、図１６Ａに示される直立姿勢に復帰することができる。
【０１３５】
本実施形態において、ローラーを用いた給紙構造が例示されている。代替的に、シートは、ローラーに巻回されたベルトを用いて給紙する給紙構造を用いて給紙されてもよい。
【産業上の利用可能性】
【０１３６】
本実施形態の原理は、シートを搬送する機構を有する装置に好適に適用される。
【符号の説明】
【０１３７】
１００・・・・・・・・・・・・・・・複写機（画像形成装置）
１１１・・・・・・・・・・・・・・・上部筐体（スキャナー装置）
１１５・・・・・・・・・・・・・・・コンタクトガラス（透明板）
２００・・・・・・・・・・・・・・・画像形成部
４００・・・・・・・・・・・・・・・読取機構（スキャナー装置）
５００・・・・・・・・・・・・・・・原稿供給装置（給紙装置）
５２２・・・・・・・・・・・・・・・回動カバー（支持構造体）
５３１・・・・・・・・・・・・・・・主搬送路（搬送経路）
５３２・・・・・・・・・・・・・・・導入部（搬送経路）
５３３・・・・・・・・・・・・・・・案内部（搬送路）
５４１・・・・・・・・・・・・・・・第１搬送ローラー対（搬送ローラー）
５４２・・・・・・・・・・・・・・・第２搬送ローラー対（搬送ローラー）
５４３・・・・・・・・・・・・・・・排出ローラー対（搬送ローラー）
５５１・・・・・・・・・・・・・・・第１隣接壁（隣接壁）
５５２・・・・・・・・・・・・・・・第２隣接壁（隣接壁）
５６０・・・・・・・・・・・・・・・突出棒（突出部）
５６２・・・・・・・・・・・・・・・上マグネットプレート（マグネット部）
６００・・・・・・・・・・・・・・・給紙機構
６１１・・・・・・・・・・・・・・・ピックアップローラー（第１ローラー）
６１２・・・・・・・・・・・・・・・給紙ローラー（第２ローラー）
６２０・・・・・・・・・・・・・・・保持フレーム（保持機構）
６２１・・・・・・・・・・・・・・・取付壁（対向壁）
６３０・・・・・・・・・・・・・・・ストッパー機構（規制部）
６３３・・・・・・・・・・・・・・・捻りコイルバネ（付勢部材）
６３４・・・・・・・・・・・・・・・第１アーム（規制アーム）
６３５・・・・・・・・・・・・・・・第２アーム（制御アーム）
６５０・・・・・・・・・・・・・・・駆動機構（変位機構）
６５１・・・・・・・・・・・・・・・モーター（駆動源）
６５２・・・・・・・・・・・・・・・伝達機構（第１伝達部）
６５３・・・・・・・・・・・・・・・クラッチ機構
６５４・・・・・・・・・・・・・・・無端ベルト（第２伝達部）
【図１】
0005810038.tif 000002
【図２】
0005810038.tif 000003
【図３】
0005810038.tif 000004
【図４】
0005810038.tif 000005
【図５】
0005810038.tif 000006
【図６】
0005810038.tif 000007
【図７】
0005810038.tif 000008
【図８】
0005810038.tif 000009
【図９】
0005810038.tif 000010
【図１０】
0005810038.tif 000011
【図１１】
0005810038.tif 000012
【図１２】
0005810038.tif 000013
【図１３】
0005810038.tif 000014
【図１４】
0005810038.tif 000015
【図１５】
0005810038.tif 000016
【図１６Ａ】
0005810038.tif 000017
【図１６Ｂ】
0005810038.tif 000018
【図１６Ｃ】
0005810038.tif 000019
【図１６Ｄ】
0005810038.tif 000020
【図１６Ｅ】
0005810038.tif 000021